(57)【要約】【課題】カードコネクタにおいて、製品サイズを大きくすることなく、カバー側壁１５，１６からボディ本体５裏面に足部９１を回込ませ、基板との半田実装を実施し、さらなる小型低背化を実現する。【解決手段】ボディ本体５裏面と左右のボディ側壁６，７外面が作る角部を凹ませ、その凹み部９２，９３に、カバー側壁１５，１６からボディ本体５裏面に回込ませる足部９１を係合させると共に、ボディ本体５表面とスライダ３０配備側のボディ側壁６内面が作る角部には肉盛りを施し、凹み部９２のボディ厚みを確保しつつ、その肉盛り部７３が、その近傍に平行に形成するボディ本体５表面の凸条７４とで、スライダ３０底面の凹凸に嵌合するスライダガイドレール７６を形成する。【選択図】  図３
2005100836.tif 000002
【特許請求の範囲】
【請求項１】
複数の接触端子を取付ける板状のボディ本体に、カード挿抜方向に沿う左右のボディ側壁を設ける樹脂製ボディと、ボディ本体の表面側を覆う板状のカバー本体に、ボディ側壁を覆う左右のカバー側壁を設ける金属製カバーとで、前面にカード挿入口を開口し、そのカード挿入口に連通するカード挿入空間を内部に形成するコネクタケースを構成し、カード挿入空間の後部に複数の接触端子を配備すると共に、その接触端子群の左右一側部にイジェクト用のスライダを前後方向に摺動自在に配備するカードコネクタにおいて、ボディ本体裏面と左右のボディ側壁外面が作る角部を凹ませ、その凹み部に、カバー側壁からボディ本体裏面に回込ませる足部を係合させると共に、ボディ本体表面とスライダ配備側のボディ側壁内面が作る角部には肉盛りを施し、凹み部のボディ厚みを確保しつつ、その肉盛り部が、その近傍に平行に形成するボディ本体表面の凸条とで、スライダ底面の凹凸に嵌合するスライダガイドレールを形成することを特徴とするカードコネクタ。
【請求項２】
スライダ上面に突起を設け、その突起を、カバーに形成する長孔に摺動自在に嵌合させる請求項１に記載のカードコネクタ。
【請求項３】
スライダ配備側と反対側のボディ側壁上面に突起を設け、その突起を、カバーに形成する切欠き孔に嵌合させる請求項１又は２に記載のカードコネクタ。
【請求項４】
ボディとスライダの間に介在させてスライダを前方に付勢するイジェクト用のコイルバネを備え、後端を開口した円筒状のバネ収容凹部をスライダに形成すると共に、ボディ側壁と摺接するスライダ側面から肉盛り部に相対するスライダ底面の凹み部にわたる範囲を開放する切欠き部をスライダに形成する請求項１乃至３の何れか１つに記載のカードコネクタ。
【請求項５】
切欠き部のバネ収容凹部周壁側の上下角部と、その下側の角部に相対する肉盛り部の角部とに、それぞれ丸みを付ける請求項４に記載のカードコネクタ。
【発明の詳細な説明】
【技術分野】
【０００１】
本発明は、パーソナルコンピューター、ＰＤＡ（ personal digital assistance ）、携帯電話機、デジタルビデオ、デジタルカメラ、ポータブルオーディオ、カーオーディオ及びカーナビ等の様々な電子機器（デジタル機器）のプリント配線基板上に実装されて、様々な電子データ（デジタルデータ）を記録し、様々な電子機器間で移動させたり交換するためのＩＣ記録媒体として用いられるメモリーカードを受入れ、カード側電子回路と電子機器側電子回路とを電気的に接続させるためのカードコネクタに関する。
【背景技術】
【０００２】
一般にカードコネクタは、横幅及び奥行きに比べて高さが低い直方形状のコネクタケースをボディとカバーとで形成する。このコネクタケースは、前面にカード挿入口を開口し、そのカード挿入口に連通するカード挿入空間を内部に形成する。板状のボディ本体に複数の接触端子を取付けるボディは、絶縁性を確保するために樹脂材料によって成形され、同時にカード挿抜方向に沿う左右のボディ側壁も成形される。他方カバーは、ボディ全体を覆って静電対策を施すために、金属板によって、ボディ本体の表面側を覆う板状のカバー本体と、ボディ側壁を覆う左右側壁が一体形成される。そして、カード挿入空間の後部に複数の接触端子が配備されると共に、その接触端子群の左右一側部にイジェクト用のスライダが前後方向に摺動自在に配備される。
【特許文献１】特開２００２−１８４５２５号公報
【０００３】
ところで、電子機器の小型薄型化に伴い、カードコネクタについては小型かつ低背のものが要求されている。これを前提として、カバー側壁からボディ本体裏面に回込ませる足部を設け（足部をボディの外側に突出させるとその足部の分、実装面積が大きくなる。）、足部によって基板との半田実装を実施する際には、ボディ本体裏面に回込ませる足部の厚みを吸収して、ボディ本体裏面を凹凸のない平坦面にする必要がある。ここで、スライダ配備側と反対側のボディ本体側部では、足部の厚みを吸収してもその吸収部分に成形可能なボディ厚みを確保できる。他方スライダ配備側のボディ本体側部の薄肉部分においては、足部の厚みを吸収するとその吸収部分に成形可能なボディ厚みを確保できないため、従来では、ボディ本体の幅や厚みを全体的に増やすことで、その吸収部分のボディ厚みを確保していた。
【０００４】
また、スライダ配備側のボディ本体側部の薄肉部分においては、足部の厚みを吸収する部分にボディ厚みを充分に確保しない場合には、そのボディ本体側部の剛性が著しく低下し、スライダをスムーズに摺動させることができなくなり、引いては、カードをスムーズに挿抜することができなくなる。
【発明の開示】
【発明が解決しようとする課題】
【０００５】
本発明が解決する課題は、カバー側壁からボディ本体裏面に足部を回込ませ、基板との半田実装を実施する際、製品サイズを大きくしないと、特に、スライダ配備側のボディ本体側部において、足部の厚みを吸収する部分に成形可能なボディ厚みを確保できず、またそのボディ本体側部の剛性も充分に確保できないということである。
【課題を解決するための手段】
【０００６】
本発明は、カバー側壁からボディ本体裏面に足部を回込ませ、基板との半田実装を実施する際、製品サイズを大きくすることなく、特に、スライダ配備側のボディ本体側部において、足部の厚みを吸収する部分に成形可能なボディ厚みを確保し、またそのボディ本体側部の剛性を充分に確保して、カードコネクタのさらなる小型低背化を実現するため、
複数の接触端子を取付ける板状のボディ本体に、カード挿抜方向に沿う左右のボディ側壁を設ける樹脂製ボディと、ボディ本体の表面側を覆う板状のカバー本体に、ボディ側壁を覆う左右のカバー側壁を設ける金属製カバーとで、前面にカード挿入口を開口し、そのカード挿入口に連通するカード挿入空間を内部に形成するコネクタケースを構成し、カード挿入空間の後部に複数の接触端子を配備すると共に、その接触端子群の左右一側部にイジェクト用のスライダを前後方向に摺動自在に配備するカードコネクタにおいて、
ボディ本体裏面と左右のボディ側壁外面が作る角部を凹ませ、その凹み部に、カバー側壁からボディ本体裏面に回込ませる足部を係合させると共に、ボディ本体表面とスライダ配備側のボディ側壁内面が作る角部には肉盛りを施し、凹み部のボディ厚みを確保しつつ、その肉盛り部が、その近傍に平行に形成するボディ本体表面の凸条とで、スライダ底面の凹凸に嵌合するスライダガイドレールを形成することを特徴としている。
また、本発明においては、スライダをスムーズに摺動させ、引いては、カードをスムーズに挿抜する上で、以下のような構成を付加することが望ましい。
第１に、スライダ上面に突起を設け、その突起を、カバーに形成する長孔に摺動自在に嵌合させること。
第２に、スライダ配備側と反対側のボディ側壁上面に突起を設け、その突起を、カバーに形成する切欠き孔に嵌合させること。
第３に、ボディとスライダの間に介在させてスライダを前方に付勢するイジェクト用のコイルバネを備え、後端を開口した円筒状のバネ収容凹部をスライダに形成すると共に、ボディ側壁と摺接するスライダ側面から肉盛り部に相対するスライダ底面の凹み部にわたる範囲を開放する切欠き部をスライダに形成すること。
第４に、切欠き部のバネ収容凹部周壁側の上下角部と、その下側の角部に相対する肉盛り部の角部とに、それぞれ丸みを付けること。
【発明の効果】
【０００７】
本発明によれば、スライダ配備側のボディ本体側部において、肉盛りによって、足部の厚みを吸収する部分に成形可能なボディ厚みを確保すると共に、そのボディ本体側部に充分な剛性を確保するため、ボディ本体の幅や厚みを全体的に増やす必要がなくなる。したがって、製品サイズを大きくすることなく、またスライダの動作不良、引いては、カードの挿抜不良を招くことなく、カバー側壁からボディ本体裏面に足部を回込ませ、基板との半田実装を実施することができ、カードコネクタのさらなる小型低背化を実現できる。という顕著な効果を奏する。
しかも、その肉盛り部が、その近傍に平行に形成するボディ本体表面の凸条とで、スライダ底面の凹凸に嵌合するスライダガイドレールを形成するため、スライダをよりスムーズに摺動させることができ、引いては、カードをよりスムーズに挿抜することができる。という顕著な効果を奏する。
また、第１の付加構成によれば、スライダの傾きやそのスライダ配備側のボディ側壁の傾きを抑制できるため、スライダをよりスムーズに摺動させることができ、引いては、カードをよりスムーズに挿抜することができる。またこれによって、ボディ側の負担（必要剛性）を軽減することができ、上記のボディ厚みが確保し易くなる。という顕著な効果を奏する。
第２の付加構成によれば、スライダ配備側と反対側のボディ側壁の傾きを抑制できるため、カードのスムーズな挿抜きを妨げない。という効果を奏する。
第３の付加構成によれば、切欠き部によって、コイルバネとこのバネ収容凹部周壁との接触が少なくなり、コイルバネをスムーズに伸縮させることができるため、第１の付加構成と同様の効果を奏する。
第４の付加構成によれば、切欠き部のバネ収容凹部周壁側の上下角部と、その下側の角部に相対する肉盛り部の角部によって、コイルバネの伸縮を妨げるのを抑えることができ、コイルバネをスムーズに伸縮させることができるため、第１の付加構成と同様の効果を奏する。
【発明を実施するための最良の形態】
【０００８】
以下、本発明の実施形態を図面に基づいて説明する。図１はカードコネクタの斜視図、図２はカードコネクタの裏面構造を示す斜視図、図３はカードコネクタの内部機構を示す斜視図、図４はスライダ配備側のボディ前部を示す部分斜視図、図５はスライダ配備側のボディ後部を示す部分断面斜視図、図６は裏返し状態のスライダの斜視図、図７はスライダのバネ収容凹部を示す部分図、図８はボディ、カバー、スライダ３者の係合関係を示す説明図、図９はカードコネクタのイジェクト状態の内部機構を示す平面説明図、図１０はカードコネクタのカード装着状態の内部機構を示す平面説明図、図１１はボディの平面（表面）図、図１２はボディの正面（前面）図、図１３はボディの左側面図、図１４はボディの右側面図、図１５はボディの背面（後面）図、図１６はボディの底面（裏面）図、図１７は図１１に示すボディのＡ−Ａ拡大断面図、図１８は図１１に示すボディのＢ−Ｂ拡大断面図、図１９は図１１に示すボディのＣ−Ｃ拡大断面図、図２０はカバーの平面（表面）図、図２１はカバーの右側面図、図２２はカバーの背面（後面）図、図２３はカバーの底面（裏面）図、図２４は図２０に示すカバーのＡ−Ａ断面図、図２５はスライダの平面図、図２６はスライダの正面（前面）図、図２７はスライダの左側面図、図２８はスライダの右側面図、図２９はスライダの背面（後面）図、図３０はスライダの底面図、図３１は図２５に示すスライダのＡ−Ａ断面図、図３２は図２５に示すスライダのカム溝部の部分拡大平面図である。
【０００９】
本実施形態のカードコネクタは、樹脂製ボディ１と金属製カバー２とで構成するコネクタケース３を備える。樹脂製ボディ１は、矩形樹脂板の前側縁中間部を略中央部まで、台形状の切欠き４によって、大きく後退させた形態のボディ本体５と、ボディ本体５の左右側縁に垂直に立上げるボディ左右側壁６，７と、ボディ本体５の後側縁に垂直に立上げるボディ後側壁８と、切欠き４より左側部のボディ本体５の前側縁に垂直に立上げる短いボディ前角壁９と、切欠き４とボディ後側壁８間のボディ本体５の後部に大きく開口形成する横に長い矩形のボディ抜孔１０とを備える。またこのボディ本体１には、複数本（本実施形態では１１本）の接触端子１１を備える。この各接触端子１１は、導電性に優れた金属製の細長い矩形板バネ材で構成し、カード挿抜方向（前後方向）に平行となるように、所定の間隔を設けて左右横方向に並ぶ形態でボディ本体５の後部に配備するもので、後半部を抜孔１０より後側のボディ本体５の後部に固着し、前半部を抜孔１０の後側縁から前上がり傾斜姿勢でボディ本体５の表面側に突出させ、上下方向に弾性変位自在なその傾斜上端部に下方に開いた円弧状の接点部１２を形成する。
【００１０】
金属製カバー２は、導電性に優れた金属製の板材を打抜き及び曲げ加工することによって形成され、矩形金属板の前縁中央部を、曲率の大きい円弧状の切欠き１３によって、小さく後退させた形態のカバー本体１４と、カバー本体１４の左右側縁に垂下するカバー左右側壁１５，１６と、カバー本体１４の後側縁の左右側部に垂下する左右のストッパー片１７，１８と、カバー本体１４の前部に大きく開口形成する横に長い矩形のカバー抜孔１９と、カバー本体１４の後部に左右横方向に並べて小さく開口形成する複数の抜孔２０を備える。
【００１１】
そして、前記ボディ１に後述するイジェクト機構やカード検出機構を組付けた後の、コネクタ組立て最終工程において、このボディ１の後端と前記カバー２の前端を対向させる状態で、ボディ１をこの後端部からカバー２の内側に、ボディ左右側壁６，７の外面とカバー左右側壁１５，１６の内面を摺接させながら差込み、ボディ１の外側にカバー２を装着する。これによって、ボディ後側壁８の外面左右側部に形成する左右のカバー厚み吸収兼係合溝２１，２２に左右ストッパー１７，１８が嵌合して、ボディ本体５にカバー本体１４が対向し、このカバー本体１４がボディ本体１４の表面側を覆い、またボディ左右側壁６，７の外面にカバー左右側壁１５，１６の内面が接合し、このカバー左右側壁１５，１６がボディ左右側壁６，７を覆い、横幅及び奥行きに比べて高さが低い直方形状の前記コネクタケース１を構成する。このコネクタケース３は、前面にメモリーカード２３の横幅及び厚みに見合った横幅及び高さの横に長い矩形のカード挿入口２４を右側に偏って開口形成し、そのカード挿入口２４に連通するカード挿入空間２５を内部に形成し、カード挿入口２４の後方となるカード挿入空間２５の後部に、接触端子１１の前上がり傾斜姿勢の前半部を、左右横方向に並べて配備し、またカード挿入口２４より左側（接触端子１１群より左側）となるカード挿入空間２５の左側部にイジェクト機構を配備し、さらに接触端子１１群より後方となるカード挿入空間２５の最後部にカード検出機構を配備する。即ち、カードコネクタが製品状態に組立てられる。
【００１２】
ところで、ボディ左右側壁６，７とカバー左右側壁１５，１６の接合面の間でボディ１にカバー２を着脱自在に結合するもので、カバー左右側壁１５，１６を前半部１５ａ，１６ａと後半部１５ｂ，１６ｂに２分割する縦溝２６を備え、この縦溝２６より前側のカバー左右側壁１５，１６の前半部１５ａ，１６ａの略中央部と、縦溝２６より後側のカバー左右側壁１５，１６の後半部１５ｂ，１６ｂの略中央部とに、前後方向に長い矩形の係合孔２７を開口形成し、他方ボディ３にカバー２を装着した時、前記係合孔２７に嵌合する係合突起２８をボディ左右側壁６，７の外面に備える。また各係合突起２８の後部には、上記のようにボディ１にカバー２を装着する時、カバー左右側壁１５，１６を係合突起２８に乗上げて乗越え通過させるために、ボディ左右側壁６，７の外面と係合突起２８の突出端面を段差無く連続させる傾斜面２９を備える。縦溝２６によってカバー左右側壁１５，１６を前半部１５ａ，１６ａと後半部１５ｂ，１６ｂに２分割するため、２分割していない場合に比べて、カバー左右側壁１５，１６が、容易に係合突起２８に乗上げ乗越え通過するため、組立て性に優れる。
【００１３】
次に、カードコネクタの内部機構について説明する。
まず、カード挿入空間２５の左側部に配備するイジェクト機構について説明する。このイジェクト機構は、イジェクト用のスライダ３０とコイルバネ（圧縮バネ）３１を備える。このスライダ３０は四角柱形状のスライダ本体部３２を備え、このスライダ本体部３２は、前端面がボディ前角壁９に対向し、後端面がボディ後側壁８に対向する姿勢で、ボディ２の左側部に配備させ、ボディ前角壁９とボディ後側壁８の間で、底面をボディ本体５の表面に摺接させ、かつ、左側面をボディ左側壁６の内面に摺接させて、ボディ左側壁６に沿ってカード挿抜方向（前後方向に）に摺動可能である。またスライダ本体部３２の後半部には、右側に向かって張出し、矩形のメモリーカード２３の先端一側に形成された誤挿入防止用の角落し部３３に嵌合させる誤挿入防止用の張出し部３４を一体形成すると共に、この張出し部３４の後端には、右側に向かって張出し、カード２３の先端面に当接させる受片部３５を一体形成する。さらにカード挿抜方向と直交する左右方向に弾性変位自在なハーフロック用の係合爪４４を有する板バネ製のハーフロック部材４５を備え、このハーフロック部材４５をスライダ本体部３２の前半部に形成する収容凹部４６に収容保持し、カード２３の先端面が受片部３５に当接した時、カード２３の角落し部３３の後側に形成されたハーフロック用の係合溝４７に係合爪４４を係合させるように、この係合爪４４を、収容凹部４６内に後退可能に、スライダ本体部３２の前半部から右側に向かって突出させる。
【００１４】
コイルバネ３１を収容する円筒状の前後のバネ収容凹部３６，３７を備える。前バネ収容凹部３６は、スライダ本体部３２の後端面に、圧縮状態のコイルバネ３１の直径（外径）よりやや大きい直径で、所定深さに形成し、その底面をコイルバネ３１の前部ばね座３８とし、その前部ばね座３８の中心部から、伸長状態のコイルバネ３１の内径よりやや小さい直径を有する前部位置決めピン３９を後方に向けて突出形成し、他方後バネ収容凹部３７は、スライダ本体部３２の後端面に対向するボディ後側壁８の左側部を部分的に肉厚にして内側に張出し形成した矩形のスライダ受止め部４０に配備する。この受止め部４０の外面には前記左係合溝２１が形成されて前記左ストッパー１７が係合する。後バネ収容凹部３７は、前バネ収容凹部３６と同じ直径を有し、スライダ受止め部４０の内面から外面に貫通する円形の貫通孔であり、左ストッパー１７の下端を内側に直角に折曲げて後部ばね座４１を形成し、その後部ばね座４１の先端中央部に前部位置決めピン３９の直径と略同じ幅を有する後部位置決め片４２を突出形成し、また左係合溝２１の下端を内側に直角に折曲げて貫通孔の後端部周壁に後部ばね座溝４３を形成し、ボディ１にカバー２を装着した時、後部ばね座溝４３に後部ばね座４１を嵌合させ、貫通孔の後端開口部に後部ばね座４１を水平に横切らせ、この後部ばね座４１によって貫通孔の後端開口を閉じると共に、その閉鎖された貫通孔の後端中心部から前方に向けて後部位置決め片４２を突出させる。
【００１５】
前後のバネ収容凹部３６，３７は同一軸芯上に配備されて対向しており、コイルバネ３１の前部を前バネ収容凹部３６に挿入すると共に、このコイルバネ３１の前部内側に前部位置決めピン３９を挿入し、他方コイルバネ３１の後端部を後バネ収容凹部３７に挿入すると共に、このコイルバネ３１の後端部内側に後部位置決め片４２を挿入し、前部ばね座３８と後部ばね座４１の間にコイルバネ３１を張設する。このコイルバネ３１によってスライダ３０をカード抜去方向（前方）に常時付勢する。また前後のバネ収容凹部３６，３７は、スライダ３０の後端面がスライダ受止め部４０に突当たる時、一本に接続されて密閉された円筒状のバネ収容空間を形成し、その時のバネ収容空間に最圧縮状態のコイルバネ３１を収容可能に形成しており、スライダ３１は、前端面がボディ前角壁９に突当たるイジェクト位置から後端面がスライダ受止め部４０に突当たる最押込み位置の間で摺動可能である。
【００１６】
前記スライダ３０とコイルバネ３１と後述するカム機構４８によって、プッシュイン／プッシュアウト型のイジェクト機構を構成するもので、カム機構４８は、ハート形のカム溝４９と、カムピン５０とを備える。
【００１７】
カム溝４９は、スライダ３０の張出し部３４の上面に形成し、カムピン５０は金属製の細長い丸棒の両端を一方向に直角に折曲げて構成し、この一方の折曲げ端部（カムピン後端）を、ボディ後側壁８の内面とスライダ受止め部４０の右側面が作る角部に形成する軸受け部５１に軸支させ、他方の折曲げ端部（カムピン前端）をカム溝４９内に摺動自在に係入させており、カム溝４９は、この前端側凹み部分に設定される係止部５２と、この係止部５２から少し斜め前方へ進んだ所で折返して後方へ延びる往路５３及び復路５４と、これら往路５３及び復路５４の後部を重ねて１つにした起点通路５５とを備える。また往路５３での溝底を起点通路５５から係止部５２に向かって下り傾斜に形成すると共に、復路５４での溝底を係止部５２から起点通路５５に向かって上り傾斜に形成する。さらにカムピン５０に対応するカバー本体１４の後左側部に切込み９４を介して、カバー本体１４からこの内面側に前下がり傾斜姿勢で突出する板バネ９５を形成し、この板バネ１４の先端部をカムピン５０に押当てる。これによて、カムピン５０前端をカム溝４９の溝底に押付け、カムピン５０前端がカム溝４９の溝底から浮上がることによるカム溝４９内でのカムピン５０前端の逆走を防止して、一方向に移動させる。
【００１８】
スライダ３０がイジェクト位置にある時、カムピン５０前端は起点通路５５内に位置する。カード２３によってスライダ３０をイジェクト位置から最押込み位置に摺動させる１回目の押込み操作を行い、その押込みを解除することによって、カムピン５０前端が起点通路５５から往路５３内を移動して係止部５２に導入係止され、スライダ３０が最押込み位置より少し手前のカード装着位置にてボディ１に対して位置保持されてロックされる。またカード２３によってスライダ３０をカード装着位置から最押込み位置に摺動させる２回目の押込み操作を行い、その押込みを解除することによって、係止部５２に係止されていたカムピン５０前端が、係止部５２から離脱してスライダ３０のロックが解除され、復路５４内を移動して起点通路５５内へ復帰し、スライダ３０がカード装着位置からイジェクト位置に摺動復帰される。
【００１９】
そして、カード２３が正規挿入姿勢でカード挿入口２４からカード挿空間２５に挿入された場合（１回目の押込み操作）、カード２３の角落し部３３とスライダ３０の張出し部３４が嵌合することによって、カード２３の先端面（挿入側端面）が張出し部３４の前面３４ａに干渉することなくこの面を通過して受片部３５に当接し、またこれと同時にスライダ３０のハーフロック用の係合爪４４がカード２３のハーフロック用の係合溝４７に係合し、カード２３にハーフロックがかかる。この状態でさらにカード２３の挿入（１回目の押込み操作）を続行すると、これに追従して受片部３５が押圧されてイジェクト位置にあるスライダ３０がコイルバネ３１に抗してカード挿入方向（後方）へ摺動する。スライダ３０の後端面がスライダ受止め部４０に突当たり最押込み位置に摺動した時点でカード２３の挿入を止めると（１回目の押込みを解除すると）、スライダ３０はカム機構４８の働きによって最押込み位置より少し手前のカード装着位置にてボディ本体５に対してロックされ、前記ハーフロックによってカード２３をカード装着位置に挿入保持し、各接触端子１１の接点部１２をカード２３の接触部に接触保持させて電気的に接続させる。カード２３がカード装着位置に挿入保持されている状態で、このカード２３の挿入操作（２回目の押込み操作）が行われると、これに追従して再び受片部３５が押圧されてカード装着位置にあるスライダ３０がコイルバネ３１に抗してカード挿入方向（後方）へ摺動する。スライダ３０が再び最押込み位置に摺動した時点でカード２３の挿入を止めると（２回目の押込みを解除すると）、スライドダ３０はロックが解除されてコイルバネ３１によってカード抜去方向（前方）へ摺動し、前端面がボディ前角壁９に突当たり、イジェクト位置へ復帰する。このスライダ３０の復帰動作に追従してカード２３の排出（イジェクト）が行われ、カード挿入空間２５から抜去可能となる。
【００２０】
ところで、カード２３が正規挿入姿勢以外の姿勢でカード挿入口２４からカード挿空間２５に誤挿入された場合、カード２３の角落としされていない角部がスライダ３０の張出し部３４の前面３４ａに干渉する。この干渉によって、カード２３にはハーフロックもかけられず、またスライダ３０は最押込み位置に摺動した後、カード装着位置にてボディ本体５に対してロックされるものの、カード２３はスライダ３０の張出し部３４の前面３４ａより後方には挿入されず、各接触端子１１の接点部１２より前方で挿入が規制され、各接触端子１１の接点部１２を保護する（誤挿入防止）。
【００２１】
次に、接触端子１１群より後方となるカード挿入空間２５の最後部に配備するカード検出機構について説明する。このカード検出機構は、左右一対の接触端子である左右のスイッチアーム５６，５７を備える。この各スイッチアーム５６，５７は、導電性に優れた金属製の細長い矩形板バネ材で構成する。
【００２２】
左右のスイッチアーム５６，５７は、表裏面が前後方向に向く姿勢で、接触端子１１群より後方となるカード挿入空間２５の最後部に、カード挿抜方向と直交する左右横向きに配備するもので、ボディ抜孔１０の左端部後方となるボディ後側壁８の内面側に左端子取付け部５８を形成すると共に、ボディ抜孔１０の右端部後方となるボディ後側壁８の内面に右端子取付け部５９を形成し、また左右の端子取付け部５８，５９の間のボディ本体１に左右の係止孔６０，６１を開口形成し、左スイッチアーム５６の左端部を左端子取付け部５８に左右横方向に形成した薄溝６２に圧入することよって固着し、左端子取付け部５８から左斜め前方へ傾斜状に左スイッチアーム５６を延出する。他方右スイッチアーム５７の右端部を右端子取付け部５９に左右方向に形成した薄溝６３に圧入することによって固着し、右端子取付け部５９から右斜め前方へ傾斜状に右スイッチアーム５７を延出する。このように、片持ち状態でボディ２に取付けられ、先端側がカード挿抜方向（前後方向）に弾性変位可能な左右のスイッチアーム５６，５７は、自由状態において、その先端側が所定の間隔を設けて前後に対向するように配備される（本実施形態では、右スイッチアーム５７の先端側後方に左スイッチアーム５６の先端側が所定の間隔を設けて対向する。）。
【００２３】
また、スイッチアーム５６，５７には凸形状の係止片６４，６５を備える。先端側が後側に配備される左スイッチアーム５６には、係止片６４を先端側下縁から下向きに突出形成し、この係止片６４の先端突出部を左係止孔６０に挿入し、係止片６４の左右肩部端面を左係止孔６０の左右側縁部のボディ本体２の表面に対向させ、他方先端側が前側に配備される右スイッチアーム５７には、係止片６５を中間部下縁から下向きに突出形成し、この係止片６５の先端突出部を右係止孔６１に挿入し、係止片６５の左右肩部端面を右係止孔６１の左右側縁部のボディ本体５の表面に対向させ、各係止片６４，６５の先端突出部をこれを挿入している左右の係止孔６０，６１の前端縁に係止させることによって、自由状態における各スイッチアーム５６，５７の先端側（自由端部側）の前方への弾性変位位置を規制することによって、その先端側の前後相対間隔を確保し、各スイッチアーム５６，５７の下方への撓み変位を、係止片６４，６５の左右肩部とボディ本体５との係合によって防止する。左右のスイッチアーム５６，５７の先端には、後方に開いた円弧状の接点部６６，６７を形成する。
【００２４】
そして、カード検出機構は、カード２３が正規挿入姿勢でカード挿入口２４からカード挿入空間２５に挿入された時、接触端子１１の接点部１２を通過してカード挿入空間２５の最後部に到達するカード２３の先端面によって、この先端面に先端側が前側に配備される右スイッチアーム５７の接点部６７が当接した状態で、左右一対のスイッチアーム５６，５７の各先端側（自由端部）が共に後方へ撓み変位し、先端側が前側に配備される右スイッチアーム５７に、先端側が後側に配備されている左スイッチアーム５６の接点部６６が接触し、左右一対のスイッチアーム５６，５７を電気的に接続する。他方カード２３が正規挿入姿勢以外の姿勢でカード挿入口２４からカード挿入空間２５に挿入された時は、カード２３の先端面は接触端子１１の接点部１２を通過してカード挿入空間２５の最後部に到達しないため、左右スイッチアーム５６，５７は、この先端側の相対間隔を維持する自由状態に保持され、電気的接続を切保持する。これによって、正規挿入姿勢で挿入されたカード２３のみを検出する機能を発揮する。
【００２５】
ところで、ボディ本体５には、前記スライダ３０がイジェクト位置と最押込み位置との間で摺動する時、そのスライダ３０の底面（スライダ本体部３２の底面と張出し部３３の底面）に摺接するボディ本体５の表面を、それ以外のボディ本体５の表面より一段低くするように、薄肉部分６８を形成し、その厚肉部分６８とそれ以外の部分との間に垂直な段差面６９を形成し、ボディ左側壁６、ボディ後側壁８、ボディ前角壁９、並びに段差面６９とで周りを囲うボディ本体５の薄肉部分６８の表面でスライダ３０を摺動させると共に、その時、スライダ３０の左側面をボディ左側壁６の内面に摺接させ、他方スライダ３０の右側面の下縁部を段差面６９に摺接させ、スライダ３０の摺動をカード挿抜方向（前後方向）に規制する（案内する）。
尚、スライダ３０の受片部３５の底面は、薄肉部分６８の表面より一段高いボディ本体５の表面に乗上げさせて摺動させる。
【００２６】
ここで、スライダ本体部３２の後半部には、カード挿入空間２５に臨む右側面にカード２３の角落し部３３に嵌合させる張出し部３４を形成する必要があるため、薄肉部分６８の形態も、スライダ本体部３２の底面のみが摺接する前半部の横幅に比べて、スライダ本体部３２の底面と張出し部３４の底面とが摺接する後半部の横幅が広くなるという制約を受ける。このため、スライダ３０の横幅が広い後半部は、この摺動距離の全長にわたってボディ左側壁６の内面と段差面６９とで左右両方向から摺動案内される。他方スライダ３０の横幅が狭い前半部は、薄肉部分６８の横幅が広い後半部では段差面６９との間に隙間を生じるため、段差面６９による摺動案内作用がスライダ３０が最押込み位置に近付くに連れて低減し、最押込み位置の手前で消滅する。
【００２７】
そこで、ボディ本体５の薄肉部分６８の表面に摺接するスライダ本体部３２の底面と、ボディ左側壁６の内面に摺接するスライダ本体部３２の左側面、が作るスライダ本体部３２の左下角部に、その全長（スライダ本体部３２の前端から後端）にわたって、角形の凹み部７０を形成すると共に、その凹み部７０と平行な凹条７１（角形の溝）をスライダ本体部３２の底面に形成する。この凹条７１は、凹み部７０と略同じ高さ及び横幅を有し、スライダ本体部３２の前端から形成し、後端部が少なくとも張出し部３４の前端を超える長さに形成し、凹み部７０との間のスライダ本体部３２の底面に角形の凸条７２を形成する。
【００２８】
他方、スライダ本体部３２の底面と張出し部３３の底面が摺接するボディ本体５の薄肉部分６８の表面と、スライダ本体部３２の左側面が摺接するボディ左側壁６の内面、が作る角部に、その全長（ボディ前角壁９の内面からスライダ受止め部４０の内面）にわたって、スライダ３０側の凹み部７０に相当して嵌合する凸条である角形の肉盛り部７３を形成すると共に、その肉盛り部７３と平行で、スライダ３０側の凹条７１に相当して嵌合する角形の凸条７４をボディ本体５の薄肉部分６８の表面に形成する。この凸条７４は、肉盛り部７３と略同じ高さ及び横幅を有し、ボディ前角壁９の内面（ボディ本体５の薄肉部分６８の前端）から形成し、後端部が少なくとも薄肉部分６８の横幅が広い後半部に到る長さで、スライダ３０側の凹条７１より短い長さに形成し、肉盛り部７３との間のボディ本体５の薄肉部分６８の表面にスライダ３０側の凸条７２に相当して嵌合する凹条７５を形成する。
【００２９】
そして、肉盛り部７３とそれに平行な凸条７４とで、ボディ本体５の薄肉部分６８の表面に、スライダ３０の底面の凹凸（凹み部７０、凹条７１、凸条７２）に嵌合するスライダガイドレール７６を形成している。このガイドレール７６は、スライダ３０が最押込み位置に摺動しても、スライダ３０の底面の凹凸（凹み部７０、凹条７１、凸条７２）に嵌合しており、スライダ３０の横幅が狭い前半部をこの摺動距離の全長にわたって摺動案内しながら、スライダ３０全体を摺動案内し、しかも、ボディ本体５の薄肉部分６８を補強するリブの役目を果たすため、スライダ３０をスムーズに摺動させることができ、引いては、カード２３をスムーズに挿抜させる。
【００３０】
また、スライダ３０をスムーズに摺動させ、引いては、カード２３をスムーズに挿抜すさせるために以下の構成を付加する。
【００３１】
第１に、スライダ本体部３４の前端部上面に第１の突起７７を設け、その突起７７を、カバー本体１４の左前部で、突起７７の移動経路に沿って開口形成する長孔７８に摺動自在に嵌合させ、スライダ３０の底面に加えて上面でも摺動案内する。これによって、スライダ３０の傾きやそのスライダ３０の配備側のボディ左側壁９の傾きを抑制し、スライダ３０をよりスムーズに摺動させ、引いては、カード２３をよりスムーズに挿抜させる。
【００３２】
第２に、スライダ３０の配備側と反対側のボディ右側壁７の前端近傍の上面に第２の突起７９を設け、その突起７９を、カバー本体１４とカバー右側壁１６の角部前端近傍に開口形成する切欠き孔８０に嵌合させる。これによって、スライダ３０の配備側と反対側のボディ右側壁７の傾きを抑制し、カード２３をよりスムーズに挿抜させる。
【００３３】
第１及び第２の付加構成は、ボディ本体５が、矩形樹脂板の前側縁中間部を略中央部まで、台形状の切欠き４によって、大きく後退させた形態であることや、カバー本体１４に、ボディ左右側壁６，７を覆うカバー左右側壁１５，１６を設け、金属製カバー２が、樹脂製ボディ１を抱込み、ボディ左右側壁６，７が内側に傾き易く、特に、ボディ左側壁６が、ボディ本体５の左側部の肉薄部分６８の左側縁から立上げられて内側に傾き易く、それに伴ってスライダ３０が内側に傾き易い形態では、有効である。
【００３４】
また、第１及び第２の各突起７７，７９の後部には、ボディ左右側壁６，７に備えた係合突起２８と同様に、ボディ１にカバー２を装着する時、カバー本体１４を各突起７７，７９に乗上げて乗越え通過させるために、第１の突起７７ではこの上面（突出端面）とスライダ本体部３４の上面、第２の突起７９ではこの上面（突出端面）とボディ右側壁７の上面、を段差無く連続させる傾斜面８１を備える。
【００３５】
第３に、スライダ本体部３２に前バネ収容凹部３６を外側方に開放する切欠き部８２を形成する。この切欠き部８２は、スライダ本体部３２のボディ左側壁６の内面と摺接する左側面から、肉盛り部７３の側面（ボディ本体５の肉薄部分６８の表面に垂直に立上がる面）と相対する凹み部７０の側面（スライダ本体部３２の底面に対して垂直な面）にわたる範囲を開放し、前バネ収容凹部３６を断面Ｃ形に形成する。これによって、コイルバネ３１と前バネ収容凹部３６の周壁との接触面積が少なくなり、コイルバネ３１をスムーズに伸縮させることができ、スライダ３０をよりスムーズに摺動させ、引いては、カード２３をよりスムーズに挿抜させる。また切欠き部８２の大きさは、スライダ３０をボディ１に組込んでいない状態でもコイルバネ３１を前バネ収容凹部３６に収容保持できる限度の大きさとする。これによって、スライダ３０とコイルバネ３１を１工程でボディ１に組付けることが可能となる等、組立て性の向上を図ることができる。
【００３６】
第４に、切欠き部８２のバネ収容凹部３６の周壁側の上下角部８３ａ，８３ｂと、その下角部８３ｂに相対する肉盛り部７３の角部８４とに、それぞれ丸み、所謂「Ｒ」を付け、コイルバネ３１の周囲にある各角部８３ａ，８３ｂ，８４を落す。これによって、コイルバネ３１をスムーズに伸縮させることができ、スライダ３０をよりスムーズに摺動させ、引いては、カード２３をよりスムーズに挿抜させる。
【００３７】
次に、各種電子機器に配備されるプリント配線基板に対するカードコネクタの実装方法について説明する。
【００３８】
各接触端子１１の後半部は、ボディ本体５の表面側に突出させる前上がり傾斜姿勢の前半部の傾斜下端から後方へ水平に延出させて形成すると共に、その後端を上向きに垂直に折曲げた形態である。
【００３９】
ボディ１は、所定本数の接触端子１１を、所定の位置及び姿勢にセットした金型に、溶融樹脂を圧入するインサート成形によって成形する。この成形によって、ボディ本体５が接触端子１１群の後半水平部の周りに、ボディ本体５の裏面が各接触端子１１の後半水平部の裏面と面一になるように所定の厚みで成形され、これと同時に左右側壁５，６や後側壁７等、全てのボディ１構成要素が成形されると共に、各接触端子１１のボディ本体５の裏面に露出する後半水平部裏面によって、所定の間隔で左右横方向に並んで配備される複数の第１接触部８５が、ボディ本体５の裏面後端部に形成される。
尚、接触端子１１の後端は、ボディ１の後端から突出しないように、ボディ後側壁８の外面の溝８６内に埋込まれる。
【００４０】
また、左右のスイッチアーム５６，５７はこの基端部に接触片８７を設ける。この接触片８７は、各スイッチアーム５６，５７の基端部下縁から下方に垂下する垂直部とその垂直部の下端から後方に水平に延出する水平部とでＬ形に形成し、各端子取付け部５８，５９の各薄溝６２，６３をボディ本体５の裏面に開放する収容孔８８内に接触片８７を収容し、その接触片８７下端の水平部の裏面を、ボディ本体５の裏面にこれと面一に露出させる。これによって、第１接触部８５群の左右側部に並べて配備する左右一対の第２接触部８９を、ボディ本体５の裏面後端部に形成する。
【００４１】
さらに、ボディ本体５の裏面には、複数の第３接触面９０を形成する。この第３接触面９０は、カバー左右側壁１５，１６の下縁前部と下縁後部からそれぞれ内側に水平（カバー本体１４と平行）に延出させて、ボディ本体５の裏面に回込ませる足部９１の裏面によって、ボディ本体５の裏面左右側縁部の各前後に合計４箇所に形成する。
【００４２】
ここで、各足部９１の厚みを吸収し、各足部９１の裏面をボディ本体５の裏面と面一に配備し、各第３接触面９０を他の第１及び第２の接触部８５，８９と同様に、ボディ本体５の裏面と面一に形成するため、ボディ本体５の裏面とボディ左右側壁６，７の外面が作る角部、即ち、肉盛りを施して角形の肉盛り部７３を形成した角部の外角部、を角形に凹ませ、その左右の凹み部９２，９３に各足部９１を係合させる。詳しくは、足部９１の長さ（ボディ左右側壁６，７からの足部９１の突出長さ）に対応した横幅と、足部９１の厚みと同じ高さと有する凹み部９２，９３を、ボディ本体５の裏面左側縁部と裏面右側縁部とに、この全長にわたって形成し、ボディ本体５の裏面左側縁部の凹み部９２の前後部に、ボディ左側壁６の下縁前部と下縁後部から内側に水平に延出させる前後の足部９１を係合させ、他方ボディ本体５の裏面右側縁部の凹み部９３の前後部に、ボディ右側壁７の下縁前部と下縁後部から内側に水平に延出させる前後の足部９１を係合させ、各足部９１の裏面を、ボディ本体５の裏面にこれと面一に露出させる。これによって、ボディ本体５の裏面左側縁部の前後と、右側縁部の前後に合計４箇所に、ボディ本体５の裏面と面一な第３接触部を形成する。
【００４３】
そして、上記のように、第１乃至第３接触部８５，８９，９０が形成されたボディ本体５の裏面、即ち、カードコネクタの裏面全面を、上記基板の表面に接合させ、第１乃至第３接触部８５，８９，９０をこれらに対応する基板側の接触部にそれぞれ半田付けによって電気的に接続させる面実装（半田実装）によって、基板に対するカードコネクタの実装（装着）を実施する。これによって、ボディ１の裏面と略同じ面積で、しかも、ボディ１の高さと略同じ高さでの実装が可能となる。
【００４４】
このように実装されたカードコネクタにメモリーカード２３を装着することによって、カードコネクタのコンタクトである接触端子１１を介して、カード側電子回路と電子機器側電子回路とが電気的に接続され、この間で電子データの出し入れが行われる。また左右のスイッチアーム５６，５７が電子機器側のカード検出回路に電気的に接続され、電子機器側のカード検出回路を左右のスイッチアーム５６，５７によって開閉することによって、カードコネクタに適正に装着されたカード２３のみを判別する。さらに金属製カバー２がこの足部９１を介して、電子機器側電子回路のアース（基板のグランドパターン）に電気的に接続され、静電対策が施され、静電破壊を防止する。
【００４５】
また、各足部９１は、カバー本体１４の左右側縁部とカバー左右側壁１５，１６とで、カバー２の左右側部を内向きで相対するコ字形に形成する。他方各足部９１を係合させるボディ本体５の裏面左側縁部と右側縁部の各凹み部９２，９３は、ボディ１の外側にカバー２を装着する際のガイドレールの役目を果たす。これによって、ボディ１に対してカバー２の容易に装着でき、組立て性の向上を図ることができる。
【００４６】
ところで、ボディ本体５の右側縁部の厚みは、左側縁部に比べて厚いため、足部９１の厚みを吸収する凹み部９３を裏面に形成しても、その形成部分に成形可能なボディ厚みを確保できる。他方ボディ本体５の左側縁の薄肉部分６８においては、上記のようにスライダ本体部３２の底面と張出し部３３の底面が摺接するボディ本体５の薄肉部分６８の表面と、スライダ本体部３２の左側面が摺接するボディ左側壁６の内面、が作る角部に、その全長（ボディ前角壁９の内面からスライダ受止め部４０の内面）にわたって、スライダ３０側の凹み部７０に相当して嵌合する凸条である角形の肉盛り部７３を形成することによって、足部９１の厚みを吸収する凹み部９２を裏面に形成しながら、その形成部分に成形可能なボディ厚みとボディ剛性を確保している。
【００４７】
これによって、ボディ本体５の幅や厚みを全体的に増やすことなく、ボディ本体５の左側縁の薄肉部分６８の裏面に、足部９１の厚みを吸収する凹み部９２を形成し、しかもその形成部分に成形可能なボディ厚みと剛性を確保できる。またこのための肉盛り部７３を流用して、ボディ本体５の左側部の薄肉部分６８の表面で摺動させるスライダ３０のスライダガイドレール７６を形成している。
【００４８】
したがって、製品サイズを大きくすることなく、またスライダ３０の動作不良、引いては、カード２３の挿抜不良を招くことなく、カバー左右側壁１５，１６からボディ本体５裏面に足部９１を回込ませ、基板との半田実装を実施することができる。この結果、カードコネクタのさらなる小型低背化を実現することができる。
【図面の簡単な説明】
【００４９】
【図１】カードコネクタの斜視図である。
【図２】カードコネクタの裏面構造を示す斜視図である。
【図３】カードコネクタの内部機構を示す斜視図である。
【図４】スライダ配備側のボディ前部を示す部分斜視図である。
【図５】スライダ配備側のボディ後部を示す部分断面斜視図である。
【図６】裏返し状態のスライダを示す斜視図である。
【図７】スライダのバネ収容部を示す部分図である。
【図８】ボディ、カバー、スライダ３者の係合関係を示す説明図である。
【図９】カードコネクタのイジェクト状態の内部機構を示す平面説明図である。
【図１０】カードコネクタのカード装着状態の内部機構を示す平面説明図である。
【図１１】ボディの平面（表面）図である。
【図１２】ボディの正面（前面）図である。
【図１３】ボディの左側面図である。
【図１４】ボディの右側面図である
【図１５】ボディの背面（後面）図である。
【図１６】ボディの底面（裏面）図である。
【図１７】図１１に示すボディのＡ−Ａ拡大断面図である。
【図１８】図１１に示すボディのＢ−Ｂ拡大断面図である。
【図１９】図１１に示すボディのＣ−Ｃ拡大断面図である。
【図２０】カバーの平面（表面）図である。
【図２１】カバーの右側面図である。
【図２２】カバーの背面（後面）図である。
【図２３】カバーの底面（裏面）図である。
【図２４】図２０に示すカバーのＡ−Ａ断面図である。
【図２５】スライダの平面図である。
【図２６】スライダの正面（前面）図である。
【図２７】スライダの左側面図である。
【図２８】スライダの右側面図である。
【図２９】スライダの背面（後面）図である。
【図３０】スライダの底面図である。
【図３１】図２５に示すスライダのＡ−Ａ断面図である。
【図３２】図２５に示すスライダのカム溝部の部分拡大平面図である。
【符号の説明】
【００５０】
１    樹脂製ボディ
２    金属製カバー
３    コネクタケース
５    ボディ本体
６    ボディ左側壁
７    ボディ右側壁
１１  接触端子
１４  カバー本体
１５  カバー左側壁
１６  カバー右側壁
２３  メモリーカード
２４  カード挿入口
２５  カード挿入空間
３０  スライダ
３１  コイルバネ
３６  前バネ収容凹部
７０  凹み部
７１  凹条
７３  肉盛り部
７４  凸条
７６  スライダガイドレール
７７  第１突起
７８  長孔
７９  第２突起
８０  切欠き孔
８２  切欠き部
８３ａ  上角部
８３ｂ  下角部
８４  角部
９１  足部
９２，９３  凹み部
【図１】
2005100836.tif 000003
【図２】
2005100836.tif 000004
【図３】
2005100836.tif 000005
【図４】
2005100836.tif 000006
【図５】
2005100836.tif 000007
【図６】
2005100836.tif 000008
【図７】
2005100836.tif 000009
【図８】
2005100836.tif 000010
【図９】
2005100836.tif 000011
【図１０】
2005100836.tif 000012
【図１１】
2005100836.tif 000013
【図１２】
2005100836.tif 000014
【図１３】
2005100836.tif 000015
【図１４】
2005100836.tif 000016
【図１５】
2005100836.tif 000017
【図１６】
2005100836.tif 000018
【図１７】
2005100836.tif 000019
【図１８】
2005100836.tif 000020
【図１９】
2005100836.tif 000021
【図２０】
2005100836.tif 000022
【図２１】
2005100836.tif 000023
【図２２】
2005100836.tif 000024
【図２３】
2005100836.tif 000025
【図２４】
2005100836.tif 000026
【図２５】
2005100836.tif 000027
【図２６】
2005100836.tif 000028
【図２７】
2005100836.tif 000029
【図２８】
2005100836.tif 000030
【図２９】
2005100836.tif 000031
【図３０】
2005100836.tif 000032
【図３１】
2005100836.tif 000033
【図３２】
2005100836.tif 000034